(57)【特許請求の範囲】
【請求項１】
移動通信システムにおいて、
周波数成分及び時間成分から構成されるリソースブロック単位で移動局装置が使用するリソースを指定する基地局装置であって、
移動局装置に対して当該移動局装置が使用する可能性のある少なくともひとつ以上のリソースブロックからなるリソースブロック群を指定し、
前記リソースブロック群を指定された一つ以上の移動局装置の内から前記移動局装置を識別するための第１の移動局識別情報を前記移動局装置に割り当てることを特徴とする基地局装置。
【請求項２】
リソースブロック群情報及び第１の移動局識別情報を、通信の開始時や通信中に送信される接続制御情報内に含めて前記移動局装置に送信することを特徴とする請求項１記載の基地局装置。
【請求項３】
前記移動局装置に対して複数のリソースブロック群を指定することを特徴とする請求項１記載の基地局装置。
【請求項４】
前記複数のリソースブロック群それぞれに対して、一つ以上の移動局装置の異なる組み合わせを指定し、前記リソースブロック群ごとに前記移動局装置を識別するための第１の移動局識別情報を割り当てることを特徴とする請求項３記載の基地局装置。
【請求項５】
前記第１の移動局識別情報を共用制御情報内に含めて移動局装置に送信することを特徴とする請求項１記載の基地局装置。
【請求項６】
付加的な共用制御情報の有無を指定する情報を共用制御情報内に含めて送信することを特徴とする請求項５記載の基地局装置。
【請求項７】
少なくとも基地局装置内で移動局装置に対して固有である第２の移動局識別情報またはその一部を前記付加的な共用制御情報内に含めて移動局装置に送信することを特徴とする請求項６記載の基地局装置。
【請求項８】
前記移動局装置が使用するリソースは、移動局装置が基地局装置から受信する際に使用するリソースであることを特徴とする請求項１記載の基地局装置。
【請求項９】
前記移動局装置が使用するリソースは、移動局装置が基地局装置へ送信する際に使用するリソースであることを特徴とする請求項１記載の基地局装置。
【請求項１０】
前記移動局装置に対して、前記リソースブロック群ごとに割り当てられた第１の移動局識別情報は、前記複数のリソースブロック群に対して同一であることを特徴とする請求項４記載の基地局装置。
【請求項１１】
移動通信システムに使用される基地局装置であって、
移動局装置が基地局装置から受信または送信する際に使用するリソースを指定する共用制御情報内の移動局識別情報フィールド群の中から、移動局装置に対して当該移動局装置が使用する可能性のある少なくともひとつ以上の移動局識別情報フィールド群を指定し、
前記移動局識別情報フィールド群を指定された一つ以上の移動局装置の内から前記移動局装置を識別するための第３の移動局識別情報を前記移動局装置に割り当てることを特徴とする基地局装置。
【請求項１２】
移動局識別情報フィールド群情報及び第３の移動局識別情報を、通信の開始時や通信中に送信される接続制御情報内に含めて前記移動局装置に送信することを特徴とする請求項１１記載の基地局装置。
【請求項１３】
前記移動局装置に対して複数の移動局識別情報フィールド群を指定することを特徴とする請求項１１記載の基地局装置。
【請求項１４】
前記複数の移動局識別情報フィールド群それぞれに対して、一つ以上の移動局装置の異なる組み合わせを指定し、前記移動局識別情報フィールド群ごとに前記移動局装置を識別するための第３の移動局識別情報を割り当てることを特徴とする請求項１３記載の基地局装置。
【請求項１５】
前記第３の移動局識別情報を共用制御情報内に含めて移動局装置に送信することを特徴とする請求項１１記載の基地局装置。
【請求項１６】
付加的な共用制御情報の有無を指定する情報を共用制御情報内に含めて送信することを特徴とする請求項１５記載の基地局装置。
【請求項１７】
少なくとも基地局装置内で移動局装置に対して固有である第２の移動局識別情報またはその一部を前記付加的な共用制御情報内に含めて移動局装置に送信することを特徴とする請求項１６記載の基地局装置。
【請求項１８】
前記移動局識別情報フィールドは、移動局装置が基地局装置から受信する際に使用するリソースを指定することを特徴とする請求項１１記載の基地局装置。
【請求項１９】
前記移動局識別情報フィールドは、移動局装置が基地局装置へ送信する際に使用するリソースを指定することを特徴とする請求項１１記載の基地局装置。
【請求項２０】
前記移動局装置に対して、前記移動局識別情報フィールド群ごとに割り当てられたそれぞれの第３の移動局識別情報は、前記複数の移動局識別情報フィールド群に対して同一であることを特徴とする請求項１４記載の基地局装置。
【請求項２１】
移動通信システムにおいて、
基地局装置によって周波数成分及び時間成分から構成されるリソースブロック単位で使用するリソースを指定される移動局装置であって、
基地局装置によって指定された当該移動局装置が使用する可能性のある少なくともひとつ以上のリソースブロックからなるリソースブロック群を指定された一つ以上の移動局装置の内から前記移動局装置を識別するための第１の移動局識別情報を、共用制御情報から受信することを特徴とする移動局装置。
【請求項２２】
前記リソースブロック群情報及び第１の移動局識別情報を、通信の開始時や通信中に基地局装置から送信される接続制御情報で受信することを特徴とする請求項２１記載の移動局装置。
【請求項２３】
前記移動局装置は、基地局装置によって一つ以上のリソースブロック群を指定され、前記複数のリソースブロック群それぞれに対して、前記リソースブロック群ごとに前記移動局装置を識別するための第１の移動局識別情報を割り当てられることを特徴とする請求項２１記載の移動局装置。
【請求項２４】
共用制御情報内に含められた付加的な共用制御情報の有無を指定する情報を受信することによって付加的な共用制御情報の有無を判断することを特徴とする請求項２１記載の移動局装置。
【請求項２５】
前記付加的な共用制御情報内に含められた少なくとも基地局装置内で移動局装置に対して固有である第２の移動局識別情報またはその一部によって、自局へのデータが含まれるリソースブロック群であることを判断することを特徴とする請求項２４記載の移動局装置。
【請求項２６】
前記移動局装置が使用するリソースは、移動局装置が基地局装置から受信する際に使用するリソースであることを特徴とする請求項２１記載の移動局装置。
【請求項２７】
前記移動局装置が使用するリソースは、移動局装置が基地局装置へ送信する際に使用するリソースであることを特徴とする請求項２１記載の移動局装置。
【請求項２８】
前記リソースブロック群ごとに割り当てられた第１の移動局識別情報は、前記複数のリソースブロック群に対して同一であることを特徴とする請求項２３記載の移動局装置。
【請求項２９】
移動通信システムに使用される移動局装置であって、
移動局装置が基地局装置から受信または送信する際に使用するリソースを指定する共用制御情報内の移動局識別情報フィールド群の中から、基地局装置によって指定された当該移動局装置が使用する可能性のある少なくともひとつ以上の移動局識別情報フィールド群を指定された一つ以上の移動局装置の内から前記移動局装置を識別するための第３の移動局識別情報を受信することを特徴とする移動局装置。
【請求項３０】
前記移動局識別情報フィールド群情報及び第３の移動局識別情報を、通信の開始時や通信中に基地局装置から送信される接続制御情報で受信することを特徴とする請求項２９記載の移動局装置。
【請求項３１】
前記移動局装置は、基地局装置によって一つ以上の移動局識別情報フィールド群を指定され、前記複数の移動局識別情報フィールド群それぞれに対して、前記移動局識別情報フィールド群ごとに前記移動局装置を識別するための第３の移動局識別情報を割り当てられることを特徴とする請求項２９記載の移動局装置。
【請求項３２】
共用制御情報内に含められた付加的な共用制御情報の有無を指定する情報を受信することによって付加的な共用制御情報の有無を判断することを特徴とする請求項２９記載の移動局装置。
【請求項３３】
前記付加的な共用制御情報内に含められた少なくとも基地局装置内で移動局装置に対して固有である第２の移動局識別情報またはその一部によって、自局へのデータが含まれるリソースブロック群であることを判断することを特徴とする請求項３２記載の移動局装置。
【請求項３４】
前記移動局識別情報フィールドは、移動局装置が基地局装置から受信する際に使用するリソースを指定することを特徴とする請求項２９記載の移動局装置。
【請求項３５】
前記移動局識別情報フィールドは、移動局装置が基地局装置へ送信する際に使用するリソースを指定することを特徴とする請求項２９記載の移動局装置。
【請求項３６】
前記複数の移動局識別情報フィールド群ごとに割り当てられた第３の移動局識別情報は、前記複数の移動局識別情報フィールド群に対して同一であることを特徴とする請求項３１記載の移動局装置。
【請求項３７】
移動通信システムに使用される移動局識別情報割り当て方法であって、
基地局装置は、周波数成分及び時間成分から構成されるリソースブロック単位で移動局装置が使用するリソースを指定し、
移動局装置に対して移動局装置が使用する可能性のある少なくともひとつ以上のリソースブロックからなるリソースブロック群を指定し、
前記リソースブロック群を指定された一つ以上の移動局装置の内から前記移動局装置を識別するための第１の移動局識別情報を前記移動局装置に割り当てることを特徴とする移動局識別情報割り当て方法。
【請求項３８】
移動通信システムに使用される移動局識別情報割り当て方法であって、
基地局装置は、移動局装置に対して当該移動局装置が使用する可能性のある少なくともひとつ以上の移動局識別情報フィールド群を指定し、
前記移動局識別情報フィールド群を指定された一つ以上の移動局装置の内から前記移動局装置を識別するための第３の移動局識別情報を前記移動局装置に割り当てることを特徴とする移動局識別情報割り当て方法。
【請求項３９】
請求項１ないし２０のいずれか１に記載の基地局装置、または請求項２１ないし３６のいずれか１に記載の移動局装置の機能をコンピュータに実現させるためのプログラム。
【請求項４０】
請求項３９に記載のプログラムをコンピュータ読取可能に記録した記録媒体。
【発明の詳細な説明】
【技術分野】
【０００１】
本発明は、基地局装置、移動局装置、移動局識別情報割り当て方法、プログラム及び記録媒体に関し、より詳細には、基地局装置内で時間・周波数方向の無線リソース割り当てを行なう際の柔軟性を維持しながら、無線リソース割り当ての際に移動局を指定するための情報を効率的にマッピングする技術に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）では、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式が第三世代セルラー移動通信方式として標準化され、順次サービスが開始されている（例えば、非特許文献１参照）。Ｗ−ＣＤＭＡ方式の一つは、５ＭＨｚ無線周波数帯域幅を持つＦＤＤのスペクトル拡散方式であり、各無線物理チャネルは拡散符号により区別され、符号多重され、同じ無線周波数帯域幅により伝送されている。
【０００３】
Ｗ−ＣＤＭＡ方式では、移動局から基地局への無線リンク（以下、上りリンクと称する）と、基地局から移動局への無線リンク（以下、下りリンク）がある。上り・下りリンクにおいて、レイヤ３とレイヤ２の間のＳＡＰ（Ｓｅｒｖｉｃｅ  Ａｃｃｅｓｓ  Ｐｏｉｎｔ）では論理チャネル（Ｌｏｇｉｃａｌ  Ｃｈａｎｎｅｌ），レイヤ１がレイヤ２にサービスを提供するためにトランスポートチャネル（Ｔｒａｎｓｐｏｒｔ  Ｃｈａｎｎｅｌ），トランスポートチャネルの伝送を実際の無線伝送路を使って実現するために、レイヤ１の無線ノード（基地局と移動局）の間の伝送チャネルとして定義されている物理チャネル（Ｐｈｙｓｉｃａｌ  Ｃｈａｎｎｅｌ）がある（例えば、非特許文献２参照）。
【０００４】
Ｗ−ＣＤＭＡの下りリンクの物理チャネルとして、共通パイロットチャネルＣＰＩＣＨ（Ｃｏｍｍｏｎ  Ｐｉｌｏｔ  Ｃｈａｎｎｅｌ）、同期チャネルＳＣＨ（Ｓｙｎｃｈｒｏｎｉｓａｔｉｏｎ  Ｃｈａｎｎｅｌ）、ページングインジケーターチャネルＰＩＣＨ（Ｐａｇｉｎｇ  Ｉｎｄｉｃａｔｏｒ  Ｃｈａｎｎｅｌ）、第一共通制御物理チャネルＰ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）、第二共通制御物理チャネルＳ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）、下り個別物理データチャネルＤＰＤＣＨ（Ｄｅｄｉｃａｔｅｄ  Ｐｈｙｓｉｃａｌ  Ｄａｔａ  Ｃｈａｎｎｅｌ）、下り個別物理制御チャネルＤＰＣＣＨ（Ｄｅｄｉｃａｔｅｄ  Ｐｈｙｓｉｃａｌ  Ｃｏｎｔｒｏｌ  Ｃｈａｎｎｅｌ）、捕獲インジケーターチャネルＡＩＣＨ（Ａｃｑｕｉｓｉｔｉｏｎ  Ｉｎｄｉｃａｔ  Ｃｈａｎｎｅｌ）、などがある。
【０００５】
Ｗ−ＣＤＭＡの上りリンクの物理チャネルとして、物理ランダムアクセスチャネルＰＲＡＣＨ（Ｐｈｙｓｉｃａｌ  Ｒａｎｄｏｍ  Ａｃｃｅｓｓ  Ｃｈａｎｎｅｌ）、上り個別物理データチャネルＤＰＤＣＨ、上り個別物理制御チャネルＤＰＣＣＨ、がある。
【０００６】
また、Ｗ−ＣＤＭＡ方式の下りリンクを高速パケット通信に適用した高速下りリンクパケット無線アクセスＨＳＤＰＡ（Ｈｉｇｈ  Ｓｐｅｅｄ  Ｄｏｗｎｌｉｎｋ  Ｐａｃｋｅｔ  Ａｃｃｅｓｓ）（非特許文献３）方式が標準化されている。
【０００７】
ＨＳＤＰＡ方式の下りリンク物理チャネルとして、高速物理下り共用チャネルＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）、ＨＳ−ＤＳＣＨ関連共用制御チャネルＨＳ−ＳＣＣＨ（ＨＳ−ＤＳＣＨ−ｒｅｌａｔｅｄ  Ｓｈａｒｅｄ  Ｃｏｎｔｒｏｌ  Ｃｈａｎｎｅｌ）がある。
【０００８】
ＨＳＤＰＡ方式の上りリンク物理チャネルとして、ＨＳ−ＤＳＣＨ関連上り個別物理制御チャンルＨＳ−ＤＰＣＣＨ（Ｄｅｄｉｃａｔｅｄ  Ｐｈｙｓｉｃａｌ  Ｃｏｎｔｒｏｌ  Ｃｈａｎｎｅｌ  ｆｏｒ  ＨＳ−ＤＳＣＨ）がある。
【０００９】
ＨＳＤＰＡ方式の高速物理下り共用チャネルＨＳ−ＰＤＳＣＨは、下りリンクの共用チャネルで、複数の移動局が共用し、各移動局にトランスポートチャネルの高速下り共用チャネルＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）が含まれる。このＨＳ―ＰＤＳＨは、上位レイヤから各移動局宛てのパケットデータの送信に使用される。
【００１０】
ＨＳＤＰＡ方式のＨＳ−ＤＳＣＨ関連共用制御チャネルＨＳ−ＳＣＣＨは、下りリンクの共用チャネルで、複数の移動局が共用し、各移動局に高速物理下り共用チャネルＨＳ−ＤＳＣＨの復調に必要な情報（変調方式、拡散コード）、誤り訂正復号処理やハイブリッド自動再送ＨＡＲＱ（Ｈｙｂｒｉｄ  Ａｕｔｏｍａｔｉｃ  Ｒｅｐｅａｔ  ｒｅＱｕｅｓｔ）処理に必要な情報を送信する。
【００１１】
ＨＳ−ＤＳＣＨ関連上り個別物理制御チャンルＨＳ−ＤＰＣＣＨは、上りリンクの個別制御チャネルで、下りリンク無線伝搬路状況を表す下りリンク品質情報ＣＱＩ（Ｃｈａｎｎｅｌ  Ｑｕａｌｉｔｙ  Ｉｎｄｉｃａｔｉｏｎ）と、ハイブリッド自動再送ＨＡＲＱに対応した受信確認情報であるＡＣＫ／ＮＡＣＫ（Ａｃｋｎｏｗｌｅｄｇｅｍｅｎｔ／Ｎｅｇａｔｉｖｅ  Ａｃｋｎｏｗｌｅｄｇｅｍｅｎｔｓ）の送信に使われている。
【００１２】
各移動局に対する制御チャネルは、個別物理制御チャネルで送信されるか、共用制御チャネルと移動局識別情報（ＲＮＴＩ：Ｒａｄｉｏ  Ｎｅｔｗｏｒｋ  Ｔｅｍｐｏｒａｒｙ  ＩＤ）によって特定される。この移動局識別情報は、１６ｂｉｔである。例えば、ＨＳ−ＳＣＣＨは、ＨＳ−ＤＳＣＨとコード多重されている。よって、ＨＳ−ＳＣＣＨは、ＨＳ−ＤＳＣＨで一つの移動局が使用する時間（３スロット）範囲で送信されればよく、ＨＳ−ＳＣＣＨは、ＨＳ−ＤＳＣＨの制御に必要な情報量（拡散コード、変調方式、トランスポートブロックサイズ、ＨＡＲＱ処理情報、誤り訂正復号処理情報、移動局識別情報など：符号化率１.０で計３７ｂｉｔ）を十分に収容できる。また、移動局識別情報は、誤り訂正符号化処理手順の中に含めることにより、限られたビット数を効率的に利用している。
【００１３】
一方、第三世代無線アクセスの進化（Ｅｖｏｌｖｄｅ  Ｕｎｉｖｅｒｓａｌ  Ｔｅｒｒｅｓｔｒｉａｌ  Ｒａｄｉｏ  Ａｃｃｅｓｓ、以下、ＥＵＴＲＡとする）及び第三世代無線アクセスネットワークの進化（Ｅｖｏｌｖｄｅ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ，以下、ＥＵＴＲＡＮとする）が検討されている。ＥＵＴＲＡの下りリンクとして、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が提案されている。ＥＵＴＲＡ技術として、ＯＦＤＭ方式にチャネル符号化等の適応無線リンク制御（リンクアダプテーション、Ｌｉｎｋ  Ａｄａｐｔｉｖｅｉｏｎ）に基づく適応変復調・誤り訂正方式（ＡＭＣＳ：Ａｄａｐｔｉｖｅ  Ｍｏｄｕｌａｔｉｏｎ  ａｎｄ  Ｃｏｄｉｎｇ  Ｓｃｈｅｍｅ、以降ＡＭＣＳ方式と称する）といった技術が適用されている。
【００１４】
ＡＭＣＳ方式とは、高速パケットデータ伝送を効率的に行うために、各移動局の伝搬路状況に応じて、誤り訂正方式、誤り訂正の符号化率、データ変調多値数、時間・周波数軸の符号拡散率（ＳＦ：Ｓｐｒｅａｄｉｎｇ  Ｆａｃｔｏｒ）、及びマルチコード多重数などの無線伝送パラメーター（以下、ＡＭＣモードと称する）を切り替える方式である。例えば、データ変調については、伝搬路状況が良好になるに従って、ＱＰＳＫ（Ｑｕａｄｒａｔｕｒｅ  Ｐｈａｓｅ  Ｓｈｉｆｔ  Ｋｅｙｉｎｇ）変調から、８ＰＳＫ変調、１６ＱＡＭ（Ｑｕａｄｒａｔｕｒｅ  Ａｍｐｌｉｔｕｄｅ  Ｍｏｄｕｌａｔｉｏｎ）変調など、より高い効率の多値変調に切り替えることで、通信システムの最大スループットを増大させることができる。
【００１５】
ＯＦＤＭ方式における下り物理チャネル、トランスポートチャネルの配置について、Ｓｐｒｅａｄ−ＯＦＤＭ方式（例えば、特許文献１参照）では、拡散符号多重により物理制御チャネルと物理データチャネルが同じ周波数帯域に多重する方法が提案されている。また、Ｎｏｎ  Ｓｐｒｅａｄ−ＯＦＤＭ方式（例えば、無線ＬＡＮ規格８０２.１６など）では、ＯＦＤＭの周波数軸（サブキャリア）と時間軸（ＯＦＤＭシンボル）のリソースを用いて、時間分割多重ＴＤＭ（Ｔｉｍｅ  Ｄｉｖｉｏｎ  Ｍｕｌｔｉｐｌｅｘｉｎｇ）、周波数分割多重ＦＤＭ（Ｆｒｅｑｕｅｎｃｙ  Ｄｉｖｉｏｎ  Ｍｕｌｔｉｐｌｅｘｉｎｇ）、またはＴＤＭ・ＦＤＭの組み合わせで時間・周波数に多重する方法が提案されている。
【００１６】
また、ＥＵＴＲＡの技術資料（非特許文献５参照）では、下りリンク無線フレームの構成が示されているが、無線フレームは、周波数方向、時間方向に分割され、分割されたブロックに対して、各移動局に対するデータがマッピングされる。このデータのマッピングを行なうため、移動局識別情報などにより、ブロックに対する各移動局の割り当て情報を基地局から送信する必要がある。
【特許文献１】
特開２００１−２３７８０３号公報
【特許文献２】
特開２００４−２９７７５６号公報
【非特許文献１】
３ＧＰＰ  ＴＳ  ２５.２１１、Ｖ６.４.０（２００５−０３）、Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ.ｈｔｔｐ：／／ｗｗｗ.３ｇｐｐ.ｏｒｇ／ｆｔｐ／Ｓｐｅｃｓ／ｈｔｍｌ−ｉｎｆｏ／２５−ｓｅｒｉｅｓ.ｈｔｍ
【非特許文献２】
立川  敬二、"Ｗ−ＣＤＭＡ移動通信方式"、ＩＳＢＮ４−６２１−０４８９４−５、Ｐ１０３、Ｐ１１５など
【非特許文献３】
３ＧＰＰ  ＴＲ（Ｔｅｃｈｎｉｃａｌ  Ｒｅｐｏｒｔ）２５.８５８、及び３ＧＰＰのＨＳＤＰＡ仕様関連資料.ｈｔｔｐ：／／ｗｗｗ.３ｇｐｐ.ｏｒｇ／ｆｔｐ／Ｓｐｅｃｓ／ｈｔｍｌ−ｉｎｆｏ／２５−ｓｅｒｉｅｓ.ｈｔｍ
【非特許文献４】
Ｒ１−０５０７０５  "Ｐｉｌｏｔ  Ｃｈａｎｎｅｌ  Ｓｔｒｕｃｔｕｒｅ  ｉｎ  Ｅｖｏｌｖｅｄ  ＵＴＲＡ  Ｄｏｗｎｌｉｎｋ"  ３ＧＰＰ  ＴＳＧ  ＲＡＮ  ＷＧ１  ＃４２  ｏｎ  ＬＴＥ  Ｌｏｎｄｏｎ，  ＵＫ，  Ａｕｇｕｓｔ  ２９−  Ｓｅｐｔｅｍｂｅｒ  ２，  ２００５
【非特許文献５】
Ｒ１−０５０７０７  "Ｐｈｙｓｉｃａｌ  Ｃｈａｎｎｅｌｓ  ａｎｄ  Ｍｕｌｔｉｐｌｅｘｉｎｇ  ｉｎ  Ｅｖｏｌｖｅｄ  ＵＴＲＡ  Ｄｏｗｎｌｉｎｋ"  ３ＧＰＰ  ＴＳＧ  ＲＡＮ  ＷＧ１  ＃４２  ｏｎ  ＬＴＥ  Ｌｏｎｄｏｎ，  ＵＫ，  Ａｕｇｕｓｔ  ２９−  Ｓｅｐｔｅｍｂｅｒ  ２，  ２００５
【非特許文献６】
Ｒ１−０５０８５２  "ＣＱＩ−ｂａｓｅｄ  Ｔｒａｎｓｍｉｓｓｉｏｎ  Ｐｏｗｅｒ  Ｃｏｎｔｒｏｌ  ｆｏｒ  Ｃｏｎｔｒｏｌ  Ｃｈａｎｎｅｌ  ｉｎ  Ｅｖｏｌｖｅｄ  ＵＴＲＡ"  ３ＧＰＰ  ＴＳＧ  ＲＡＮ  ＷＧ１  ＃４２  ｏｎ  ＬＴＥ  Ｌｏｎｄｏｎ，  ＵＫ，  Ａｕｇｕｓｔ  ２９−  Ｓｅｐｔｅｍｂｅｒ  ２，  ２００５
【発明の開示】
【発明が解決しようとする課題】
【００１７】
しかしながら上記特許文献には、ＥＵＴＲＡにおいて、どのような制御情報を用いて、データのマッピング情報を移動局と基地局間でやり取りするのかについての詳細は述べられていない。
また、ＷＣＤＭＡのように、移動局識別情報に１６ｂｉｔ必要とし、各移動局のブロック割り当てを柔軟にするため、ブロックごとに異なる移動局を割り当てることができる構成とした場合、少なくともブロック数×１６ｂｉｔの情報が必要となる。
【００１８】
例えば２０ＭＨｚ周波数帯域幅のシステムでは、移動局に割り当て可能なブロック数は、１つの無線フレームで９６０個にものぼり、さらに、上りリンクの制御情報も含めると制御情報のオーバヘッドが無視できない。つまり制御情報で最も大きなウェイトを占める移動局識別情報に必要なビット数を減らすことが非常に重要な課題となっている。
【００１９】
本発明は、前記課題を解決するためになされたものであり、各移動局に対する無線リソースの割り当て情報を効率よく制御し、通信システム全体の周波数利用効率を向上させるとともに、基地局・移動局制御を効率的に実行できるようにした基地局装置、移動局装置、移動局識別情報割り当て方法、プログラム及び記録媒体を提供することを目的とする。
【課題を解決するための手段】
【００２０】
上記課題を解決するために、第１の技術手段は、移動通信システムにおいて、周波数成分及び時間成分から構成されるリソースブロック単位で移動局装置が使用するリソースを指定する基地局装置であって、移動局装置に対して当該移動局装置が使用する可能性のある少なくともひとつ以上のリソースブロックからなるリソースブロック群を指定し、前記リソースブロック群を指定された一つ以上の移動局装置の内から前記移動局装置を識別するための第１の移動局識別情報を前記移動局装置に割り当てることを特徴としたものである。
【００２１】
第２の技術手段は、第１の技術手段において、リソースブロック群情報及び第１の移動局識別情報を、通信の開始時や通信中に送信される接続制御情報内に含めて前記移動局装置に送信することを特徴としたものである。
【００２２】
第３の技術手段は、第１の技術手段において、前記移動局装置に対して複数のリソースブロック群を指定することを特徴としたものである。
【００２３】
第４の技術手段は、第３の技術手段において、前記複数のリソースブロック群それぞれに対して、一つ以上の移動局装置の異なる組み合わせを指定し、前記リソースブロック群ごとに前記移動局装置を識別するための第１の移動局識別情報を割り当てることを特徴としたものである。
【００２４】
第５の技術手段は、第１の技術手段において、前記第１の移動局識別情報を共用制御情報内に含めて移動局装置に送信することを特徴としたものである。
【００２５】
第６の技術手段は、第５の技術手段において、付加的な共用制御情報の有無を指定する情報を共用制御情報内に含めて送信することを特徴としたものである。
【００２６】
第７の技術手段は、第６の技術手段において、少なくとも基地局装置内で移動局装置に対して固有である第２の移動局識別情報またはその一部を前記付加的な共用制御情報内に含めて移動局装置に送信することを特徴としたものである。
【００２７】
第８の技術手段は、第１の技術手段において、前記移動局装置が使用するリソースが、移動局装置が基地局装置から受信する際に使用するリソースであることを特徴としたものである。
【００２８】
第９の技術手段は、第１の技術手段において、前記移動局装置が使用するリソースが、移動局装置が基地局装置へ送信する際に使用するリソースであることを特徴としたものである。
【００２９】
第１０の技術手段は、第４の技術手段において、前記移動局装置に対して、前記リソースブロック群ごとに割り当てられた第１の移動局識別情報は、前記複数のリソースブロック群に対して同一であることを特徴としたものである。
［００３０］
第１１の技術手段は、移動通信システムに使用される基地局装置であって、移動局装置が基地局装置から受信または送信する際に使用するリソースを指定する共用制御情報内の移動局識別情報フィールド群の中から、移動局装置に対して当該移動局装置が使用する可能性のある少なくともひとつ以上の移動局識別情報フィールド群を指定し、前記移動局識別情報フィールド群を指定された一つ以上の移動局装置の内から前記移動局装置を識別するための第３の移動局識別情報を前記移動局装置に割り当てることを特徴としたものである。
［００３１］
第１２の技術手段は、第１１の技術手段において、移動局識別情報フィールド群情報及び第３の移動局識別情報を、通信の開始時や通信中に送信される接続制御情報内に含めて前記移動局装置に送信することを特徴としたものである。
［００３２］
第１３の技術手段は、第１１の技術手段において、前記移動局装置に対して複数の移動局識別情報フィールド群を指定することを特徴としたものである。
［００３３］
第１４の技術手段は、第１３の技術手段において、前記複数の移動局識別情報フィールド群それぞれに対して、一つ以上の移動局装置の異なる組み合わせを指定し、前記移動局識別情報フィールド群ごとに前記移動局装置を識別するための第３の移動局識別情報を割り当てることを特徴としたものである。
［００３４］
第１５の技術手段は、第１１の技術手段において、前記第３の移動局識別情報を共用制御情報内に含めて移動局装置に送信することを特徴としたものである。
［００３５］
第１６の技術手段は、第１５の技術手段において、付加的な共用制御情報の有無を指定する情報を共用制御情報内に含めて送信することを特徴としたものである。
［００３６］
第１７の技術手段は、第１６の技術手段において、少なくとも基地局装置内で移動局装置に対して固有である第２の移動局識別情報またはその一部を前記付加的な共用制御情報内に含めて移動局装置に送信することを特徴としたものである。
［００３７］
第１８の技術手段は、第１１の技術手段において、前記移動局識別情報フィールドが、移動局装置が基地局装置から受信する際に使用するリソースを指定することを特徴としたものである。
［００３８］
第１９の技術手段は、第１１の技術手段において、前記移動局識別情報フィールドが、移動局装置が基地局装置へ送信する際に使用するリソースを指定することを特徴としたものである。
［００３９］
第２０の技術手段は、第１４の技術手段において、前記移動局装置に対して、前記移動局識別情報フィールド群ごとに割り当てられたそれぞれの第３の移動局識別情報は、前記複数の移動局識別情報フィールド群に対して同一であることを特徴としたものである。
［００４０］
第２１の技術手段は、移動通信システムにおいて、基地局装置によって周波数成分及び時間成分から構成されるリソースブロック単位で使用するリソースを指定される移動局装置であって、基地局装置によって指定された当該移動局装置が使用する可能性のある少なくともひとつ以上のリソースブロックからなるリソースブロック群を指定された一つ以上の移動局装置の内から前記移動局装置を識別するための第１の移動局識別情報を、共用制御情報から受信することを特徴としたものである。
［００４１］
第２２の技術手段は、第２１の技術手段において、前記リソースブロック群情報及び第１の移動局識別情報を、通信の開始時や通信中に基地局装置から送信される接続制御情報で受信することを特徴としたものである。
［００４２］
第２３の技術手段は、第２１の技術手段において、前記移動局装置が、基地局装置によって一つ以上のリソースブロック群を指定され、前記複数のリソースブロック群それぞれに対して、前記リソースブロック群ごとに前記移動局装置を識別するための第１の移動局識別情報を割り当てられることを特徴としたものである。
［００４３］
第２４の技術手段は、第２１の技術手段において、共用制御情報内に含められた付加的な共用制御情報の有無を指定する情報を受信することによって付加的な共用制御情報の有無を判断することを特徴としたものである。
［００４４］
第２５の技術手段は、第２４の技術手段において、前記付加的な共用制御情報内に含められた少なくとも基地局装置内で移動局装置に対して固有である第２の移動局識別情報またはその一部によって、自局へのデータが含まれるリソースブロック群であることを判断することを特徴としたものである。
［００４５］
第２６の技術手段は、第２１の技術手段において、前記移動局装置が使用するリソースが、移動局装置が基地局装置から受信する際に使用するリソースであることを特徴としたものである。
［００４６］
第２７の技術手段は、第２１の技術手段において、前記移動局装置が使用するリソースが、移動局装置が基地局装置へ送信する際に使用するリソースであることを特徴としたものである。
［００４７］
第２８の技術手段は、第２３の技術手段において、前記リソースブロック群ごとに割り当てられた第１の移動局識別情報が、前記複数のリソースブロック群に対して同一であることを特徴としたものである。
［００４８］
第２９の技術手段は、移動通信システムに使用される移動局装置であって、移動局装置が基地局装置から受信または送信する際に使用するリソースを指定する共用制御情報内の移動局識別情報フィールド群の中から、基地局装置によって指定された当該移動局装置が使用する可能性のある少なくともひとつ以上の移動局識別情報フィールド群を指定された一つ以上の移動局装置の内から前記移動局装置を識別するための第３の移動局識別情報を受信することを特徴としたものである。
［００４９］
第３０の技術手段は、第２９の技術手段において、前記移動局識別情報フィールド群情報及び第３の移動局識別情報を、通信の開始時や通信中に基地局装置から送信される接続制御情報で受信することを特徴としたものである。
［００５０］
第３１の技術手段は、第２９の技術手段において、前記移動局装置が、基地局装置によって一つ以上の移動局識別情報フィールド群を指定され、前記複数の移動局識別情報フィールド群それぞれに対して、前記移動局識別情報フィールド群ごとに前記移動局装置を識別するための第３の移動局識別情報を割り当てられることを特徴としたものである。
［００５１］
第３２の技術手段は、第２９の技術手段において、共用制御情報内に含められた付加的な共用制御情報の有無を指定する情報を受信することによって付加的な共用制御情報の有無を判断することを特徴としたものである。
［００５２］
第３３の技術手段は、第３２の技術手段において、前記付加的な共用制御情報内に含められた少なくとも基地局装置内で移動局装置に対して固有である第２の移動局識別情報またはその一部によって、自局へのデータが含まれるリソースブロック群であることを判断することを特徴としたものである。
［００５３］
第３４の技術手段は、第２９の技術手段において、前記移動局識別情報フィールドが、移動局装置が基地局装置から受信する際に使用するリソースを指定することを特徴としたものである。
［００５４］
第３５の技術手段は、第２９の技術手段において、前記移動局識別情報フィールドが、移動局装置が基地局装置へ送信する際に使用するリソースを指定することを特徴としたものである。
［００５５］
第３６の技術手段は、第３１の技術手段において、前記複数の移動局識別情報フィールド群ごとに割り当てられた第３の移動局識別情報が、前記複数の移動局識別情報フィールド群に対して同一であることを特徴としたものである。
［００５６］
第３７の技術手段は、移動通信システムに使用される移動局識別情報割り当て方法であって、基地局装置が、周波数成分及び時間成分から構成されるリソースブロック単位で移動局装置が使用するリソースを指定し、移動局装置に対して移動局装置が使用する可能性のある少なくともひとつ以上のリソースブロックからなるリソースブロック群を指定し、前記リソースブロック群を指定された一つ以上の移動局装置の内から前記移動局装置を識別するための第１の移動局識別情報を前記移動局装置に割り当てることを特徴としたものである。
［００５７］
第３８の技術手段は、移動通信システムに使用される移動局識別情報割り当て方法であって、基地局装置が、移動局装置に対して当該移動局装置が使用する可能性のある少なくともひとつ以上の移動局識別情報フィールド群を指定し、前記移動局識別情報フィールド群を指定された一つ以上の移動局装置の内から前記移動局装置を識別するための第３の移動局識別情報を前記移動局装置に割り当てることを特徴としたものである。
［００５８］
第３９の技術手段は、第１ないし第２０のいずれか１の技術手段における基地局装置、または第２１ないし第３６のいずれか１の技術手段における移動局装置の機能をコンピュータに実現させるためのプログラムである。
［００５９］
第４０の技術手段は、第３９の技術手段におけるプログラムをコンピュータ読取可能に記録した記録媒体である。
発明の効果
［００６０］
本発明によれば、各移動局に対する無線リソースの割り当て情報を効率よく制御し、通信システム全体の周波数利用効率を向上させるとともに、基地局・移動局制御を効率的に実行できるようにした基地局装置、移動局装置、移動局識別情報割り当て方法、プログラム及び記録媒体を提供することができる。
【図面の簡単な説明】
【００６１】
【図１】ＥＵＴＲＡにおける３ＧＰＰの提案をベースに想定されている下りリンク無線フレームの構成例を示す図である。
【図２】１Ｃｈｕｎｋの配列の表現例を説明するための図である。
【図３】本発明に適用される下りリンクＣｈｕｎｋの構成例を示す図である。
【図４】本発明に適用される下りリンクＲＢの構成例を示す図である。
【図５】１Ｃｈｕｎｋまたは１ＲＢに割り当てられるユーザ数を制限する様子を説明するための図である。
【図６】基地局、移動局で保有する移動局識別情報とＣＩＤの変換テーブル（Ｃｈｕｎｋ  Ｔａｂｌｅ）の一例を示す図である。
【図７】移動局識別情報とＣＩＤの変換テーブル（Ｃｈｕｎｋ  Ｔａｂｌｅ）の他の例を示す図である。
【図８】移動局識別情報とＣＩＤの変換テーブル（Ｃｈｕｎｋ  Ｔａｂｌｅ）の更に他の例を示す図である。
【図９】移動局識別情報とＣＩＤの変換テーブル（Ｃｈｕｎｋ  Ｔａｂｌｅ）の更に他の例を示す図である。
【図１０】移動局識別情報とＣＩＤの変換テーブル（Ｃｈｕｎｋ  Ｔａｂｌｅ）の他の例を示す図である。
【図１１】図９とは別の移動局のＣｈｕｎｋ  Ｔａｂｌｅの例を示す図である。
【図１２】移動局識別情報とＣＩＤの変換処理手順を説明するための図である。
【図１３】本発明に適用されるＳＣＳＣＨの下りリンク制御情報系列の一例を説明するための図である。
【図１４】本発明に適用されるＳＣＳＣＨの上りリンク制御情報系列の一例を説明するための図である。
【図１５】Ａｄｄｉｔｉｏｎａｌ−ＣＳＣＨ領域に配置されるＩＤの詳細の一例を示す図である。
【図１６】１つのＣｈｕｎｋで３ユーザがＲＢをシェアする場合のＣｈｕｎｋ構成例を示す図である。
【図１７】移動局がＣＩＤを取得していないＣｈｕｎｋでＣＩＤを取得する際の処理手順の一例を説明するための図である。
【図１８】移動局がすでにＣＩＤを取得済みであるＣｈｕｎｋでユーザデータを受信する際の処理手順の一例を説明するための図である。
【図１９】サブスロットでスケジューリングを行う基地局の処理手順の一例を説明するための図である。
【図２０】基地局でのＣｈｕｎｋ  ＩＤ割り振り処理手順の一例を説明するための図である。
【図２１】３ＧＰＰの提案をベースに想定されている基地局の動作原理を説明するための図である。
【図２２】３ＧＰＰの提案をベースに想定されている移動局の動作原理を説明するための図である。
【図２３】５ＭＨｚ帯域におけるＲＢとＳＣＳＣＨの物理マッピング例を示す図である。
【図２４】図２３（Ａ）の構成における、ＳＣＳＣＨ内のＩＤ−Ｆｉｅｌｄとリソース割り当て情報の構成と、実際のリソース割り当て方法の例を示す図ある。
【図２５】図２３（Ｂ）の構成における、ＳＣＳＣＨ内のＩＤ−Ｆｉｅｌｄとリソース割り当て情報の構成と、実際のリソース割り当て方法の例を示す図である。
【図２６】ＳＣＳＣＨ内の移動局識別情報フィールド（ＩＤ−Ｆｉｅｌｄ）のグルーピングの例を示す図である。
【符号の説明】
【００６２】
１００…基地局、１０１…アンテナ部、１０２…無線部、１０３…復調部、１０４…リンクチャネル推定部、１０５…制御データ抽出部、１０６…チャネルデコーディング部、１０７…チャネルコーディング部、１０８…制御データ挿入部、１０９…ＯＦＤＭ変調部、１１０…スケジューリング部、２００…移動局、２０１…アンテナ部、２０２…無線部、２０３…ＯＦＤＭ復調部、２０４…リンクチャネル推定部、２０５…制御データ抽出部、２０６…チャネルデコーディング部、２０７…チャネルコーディング部、２０８…制御データ挿入部、２０９…変調部、２１０…制御部。
【発明を実施するための最良の形態】
【００６３】
図１は、ＥＵＴＲＡにおける３ＧＰＰの提案をベースに想定されている下りリンク無線フレームの構成例を示す図である（非特許文献４〜非特許文献６参照）。図１に示すように、下りリンクの無線フレームは、通信で使用される無線リソース単位である複数のブロックから構成されている。以下、このブロックを、Ｃｈｕｎｋ（チャンク）と呼称する。
【００６４】
またＣｈｕｎｋは、１または複数のサブキャリアに対応する周波数成分としてのサブチャネル、および１または複数のＯＦＤＭシンボルに対応する時間成分としてのサブスロットから定められるサブブロックを最小単位として、複数のサブブロックにより構成されている。以下、ユーザデータに使用されるサブブロックを、ＲＢ（Ｒｅｓｏｕｒｃｅ  Ｂｌｏｃｋ）と呼称する。
【００６５】
Ｃｈｕｎｋは、周波数軸のＣｈｕｎｋ帯域幅と時間軸のスロットの２次元で表現される。このスロットを、ＴＴＩ（Ｔｒａｎｓｍｉｓｓｉｏｎ  Ｔｉｍｅ  Ｉｎｔｅｒｖａｌ）と呼ぶ。例えば、下りリンクの全体の帯域（下りリンク周波数帯域幅）Ｂａｌｌを２０ＭＨｚ、Ｃｈｕｎｋ帯域幅Ｂｃｈを１.１２５ＭＨｚ、ＲＢ帯域幅Ｂｒｂを３７５ｋＨｚ、サブキャリア周波数帯域幅Ｂｓｃを１５ｋＨｚ、１つの無線フレーム長を１０ｍｓ、ＴＴＩを０.５ｍｓ、ＲＢサブスロットを０.５ｍｓ、ガード用帯域２ＭＨｚとする場合、１つの無線フレームは、周波数軸方向に４８個、時間軸方向に２０個のＲＢ、つまり９６０個のＲＢから構成される。従って、無線フレーム内のＲＢの位置は、周波数方向配置番号ｆ、サブスロット番号ｔとしたときの配列Ｆ（ｆ，ｔ）で表現することができる。例えば上記の例では１≦ｆ≦４８，１≦ｔ≦２０となる。
Ｃｈｕｎｋ帯域幅Ｂｃｈは、５ＭＨｚなどで構成することも考えられるが、以下の説明では、１.１２５ＭＨｚで説明する。また、Ｃｈｕｎｋ帯域幅Ｂｃｈと下りリンクの全体の帯域Ｂａｌｌが等しい場合は、サブスロット全体が一つのＣｈｕｎｋということになる。
【００６６】
また、１つのＣｈｕｎｋには７５本のサブキャリアが含まれており、ＯＦＤＭシンボル長Ｔｓを０.０７ｍｓとすると１つのＣｈｕｎｋには７個のＯＦＤＭシンボルが含まれる計算となる。従って、１Ｃｈｕｎｋは、図２に示すように、サブキャリア番号ｆ、ＯＦＤＭシンボル番号ｔとしたときの配列Ｃ（ｆ，ｔ）で表現することができる。例えば上記の例では１≦ｆ≦７５，１≦ｔ≦７となる。
【００６７】
上記Ｃｈｕｎｋは、
（１）ユーザが使用するユーザデータ、
（２）移動局識別情報（ＵＥ  ｉｄｅｎｔｉｔｙ），変調方式，誤り訂正方式，ハイブリッド自動再送ＨＡＲＱ（Ｈｙｂｒｉｄ  Ａｕｔｏｍａｔｉｃ  Ｒｅｐｅａｔ  ｒｅＱｕｅｓｔ）処理に必要な情報，データ長などの送信パラメータを格納した共有制御シグナリングチャネルＳＣＳＣＨ（Ｓｈａｒｅｄ  Ｃｏｎｔｒｏｌ  Ｓｉｇｎａｌｉｎｇ  Ｃｈａｎｎｅｌ）に含まれる物理及びレイヤ２制御メッセージ（以下、「共有制御情報」と呼称する）、
（３）制御データ及びユーザデータの復調を行なうための伝搬路推定に用いる既知のパイロット信号、
がマッピングされている。
【００６８】
また、さらに無線フレームの先頭では、（１）フレームの同期をとるための同期信号、及び（２）フレーム全体の構成を報知するための共通制御情報、がマッピングされている。
【００６９】
非特許文献５では、下りリンク物理レイヤのチャネルとして、
（１）ＤＰＣＨ（Ｐｉｌｏｔ  ｃｈａｎｎｅｌ）（パイロット信号）、
（２）ＣＣＣＨ（Ｃｏｍｍｏｎ  ｃｏｎｔｒｏｌ  ｃｈａｎｎｅｌ）（共通制御情報）、
（３）ＳＣＳＣＨ（Ｓｈａｒｅｄ  ｃｏｎｔｒｏｌ  ｓｉｇｎａｌｉｎｇ  ｃｈａｎｎｅｌ）（共有制御情報）、
（４）ＳＤＣＨ（Ｓｈａｒｅｄ  ｄａｔａ  ｃｈａｎｎｅｌ）（ユーザデータ）、
（５）ＭＢＭＳＣＨ（Ｍｕｌｔｉｃａｓｔ／Ｂｒｏａｄｃａｓｔ  ｃｈａｎｎｅｌ）、
（６）ＤＳＮＣＨ（Ｄｏｗｎｌｉｎｋ  ｓｙｎｃｈｒｏｎｉｚａｔｉｏｎ  ｃｈａｎｎｅｌ）（同期信号）、が定義されている。
【００７０】
移動局（ユーザ，移動局）宛のデータが送られるブロック（Ｃｈｕｎｋ）は、基本的に、Ｐｉｌｏｔ  ｃｈａｎｎｅｌ（パイロット信号）、Ｓｈａｒｅｄ  ｃｏｎｔｒｏｌ  ｓｉｇｎａｌｉｎｇ  ｃｈａｎｎｅｌ（共有制御情報）、およびＳｈａｒｅｄ  ｄａｔａ  ｃｈａｎｎｅｌ（ユーザデータ）から構成されている。
【００７１】
ＤＰＣＨは、セルサーチやハンドオーバを行なう際の電力測定、適応変調を行なうためのＣＱＩ測定、および、共有制御情報やユーザデータを復調するためのチャネル推定に使用される。
【００７２】
ＳＣＳＣＨは、Ｃｈｕｎｋの変調方式、データ長、自局宛のデータのＣｈｕｎｋ内での位置、Ｈｙｂｒｉｄ  ＡＲＱの情報、などユーザデータの復調に必要な制御情報、さらに移動局からのＵｐｌｉｎｋのための制御情報として、電力制御、送信タイミング制御、自局の送信すべきタイミング、変調方式、データ長、移動局が送信したデータに対するＡＣＫ／ＮＡＣＫ、などを含む。
ＳＤＣＨは、上記のＣｈｕｎｋのユーザデータである。場合によっては複数ユーザで共有する。
ユーザデータを復調するためには、共有制御情報内の変調方式やデータ長などの情報が不可欠であり、その共有制御情報を復調するためにはパイロット信号を用いて伝搬路補償を行なう。
【００７３】
図３は、本発明に適用される下りリンクＣｈｕｎｋの構成例を示す図である。Ｃｈｕｎｋは、Ｂｃｈ＝１.１２５ＭＨｚ、時間方向１ＴＴＩ（０.５ｍｓ）のブロックとして構成されており、３つのＲＢ（Ｂｒｂ＝３７５ＭＨｚ）を含んでいる。
図３（Ａ）において、ＳＣＳＣＨは、Ｃｈｕｎｋ全体の制御情報として、１.１２５ＭＨｚ帯域に配置されている。さらに、Ｃｈｕｎｋは、ＲＢの制御情報（Ａｄｄｉｔｉｏｎａｌ−ＣＳＣＨ）またはＲＢのユーザデータ領域（ＳＤＣＨ）として共用で利用する領域、ＲＢのユーザデータ領域（ＳＤＣＨ）で構成されている。
【００７４】
一方、図３（Ｂ）では、Ｃｈｕｎｋは、完全にＲＢに分割されており、ＳＣＳＣＨは、ＲＢの制御情報として、３７５ＭＨｚ帯域ごとに配置されている。さらにＲＢは、ＲＢの制御情報（Ａｄｄｉｔｉｏｎａｌ−ＣＳＣＨ（ＡＣ））またはＲＢのユーザデータ領域（ＳＤＣＨ）として共用で利用する領域、ＲＢのユーザデータ領域（ＳＤＣＨ）で構成されている。
【００７５】
このようにＳＣＳＣＨとＡｄｄｉｔｉｏｎａｌ−ＣＳＣＨの２段階で制御情報を構成することにより、移動局の種別に応じて見るべき制御情報を階層的に構成できる。この構成により、ＳＣＳＣＨで、Ａｄｄｉｔｉｏｎａｌ−ＣＳＣＨやＳＤＣＨを復調する必要があるかどうかを判断し、必要のある移動局のみがＡｄｄｉｔｉｏｎａｌ−ＣＳＣＨやＳＤＣＨを復調することができ、移動局の処理が効率的になる。
【００７６】
上りリンクのＲＢのサイズは、１.１２５ＭＨｚ×１ＴＴＩを想定しており、上りリンクの制御情報は、１.１２５ＭＨｚ帯域ごとに配置されることが望ましい。よって、図３（Ａ）のようにＳＣＳＣＨを構成するとシンプルになる。ただし、情報を分散して配置すれば、図３（Ｂ）の構成をとることも可能である。
【００７７】
図４は、本発明に適用される下りリンクＲＢの構成例を示す図である。１つのＣｈｕｎｋには７５本のサブキャリアが含まれており、ＯＦＤＭシンボル長Ｔｓを０.０７ｍｓとすると、１つのＲＢには７個のＯＦＤＭシンボル、２５本のサブキャリアが含まれる計算となる。従って、１ＲＢは、サブキャリア番号ｆ、ＯＦＤＭシンボル番号ｔとしたときの配列Ｒ（ｆ，ｔ）で表現することができる。上記の例では１≦ｆ≦２５，１≦ｔ≦７となる。
【００７８】
ＤＰＣＨは、Ｒ（ｘ，２）（ｘ＝２，５，８，１１，１４，１７，２０，２３）に配置されており、その間にＳＣＳＣＨがマッピングされている。これは、無線フレーム内のパイロット信号のオーバヘッドを約４.８％で構成したものであり、さらに、パイロット信号を増やすことも考えられるが、その場合、ＳＣＳＣＨに割り当てられるシンボル数も少なくなる。ＲＢの制御情報（Ａｄｄｉｔｉｏｎａｌ−ＣＳＣＨ）またはユーザデータ領域（ＳＤＣＨ）として共用で利用する領域は、Ｒ（ｘ，１）（１≦ｘ≦２５）に配置される。またユーザデータ領域（ＳＤＣＨ）は、Ｒ（ｘ，ｙ）（１≦ｘ≦２５，３≦ｙ≦７）に配置される。
ここでは、ＤＰＣＨの間にＳＣＳＣＨをマッピングしたが、ＲＢの制御情報（Ａｄｄｉｔｉｏｎａｌ−ＣＳＣＨ）とＤＰＣＨをＲ（ｘ，２）、ＳＣＳＣＨをＲ（ｘ，１）にマッピングすることも考えられる。
【００７９】
ＳＣＳＣＨは、前述した図３（Ａ）の構成の場合、Ｃｈｕｎｋに含まれる３ＲＢ分の領域を合わせて１つのＳＣＳＣＨとなる。それぞれのチャネルに割り当て可能なビット数は、変調方式や符号化レートによって変化するが、例えば、ＳＣＳＣＨは、変調方式ＱＰＳＫ、符号化レート１／２で変調すると、１７ビットとなる。よって、図３（Ａ）の構成の場合、１ＣｈｕｎｋでのＳＣＳＣＨは、５１ビットとなる。
【００８０】
ユーザデータは、Ａｄｄｉｔｉｏｎａｌ−ＣＳＣＨの共用領域も含んで、変調方式１６ＱＡＭ、符号化レート５／６、ＭＩＭＯ（Ｍｕｌｔｉ−Ｉｎｐｕｔ  Ｍｕｌｔｉ−Ｏｕｔｐｕｔ）使用の場合で、約１０００ビットとなる。Ａｄｄｉｔｉｏｎａｌ−ＣＳＣＨは、変調方式ＱＰＳＫ、符号化レート１／２で変調すると、２５ビットとなる。
【００８１】
前記ＳＣＳＣＨのビット数は、１Ｃｈｕｎｋあたり５１ビットであり、移動局識別情報が１６ビットの場合、３移動局分の移動局識別情報しか収容できない。また、さらに制御情報や上りリンク、下りリンク双方の制御情報を収容する必要があり、移動局識別情報を大幅に削減する方法が求められる。
【００８２】
本発明では、図５に示すように、１Ｃｈｕｎｋまたは１ＲＢに割り当てられるユーザ数を制限する。移動局識別情報は、複数の基地局を含めた範囲で移動局をユニークに識別するために用意された情報であり、基地局内のスケジューリングに使用するには冗長である。例えば、１Ｃｈｕｎｋに割り当てられるユーザ数を１６に制限すれば、１Ｃｈｕｎｋ内で使用する識別情報としては、４ビットで表現できる。以下、この識別情報をＣｈｕｎｋＩＤ（ＣＩＤ）と呼称する。ただし、この方法では、ＳＣＳＣＨで移動局を指定するビット数を減らすことは可能であるが、移動局識別情報とＣＩＤの変換を行なう処理手順が必要となる。その処理手順については後述する。
【００８３】
図６〜図１２を参照して、移動局識別情報とＣＩＤの変換処理手順を説明する。
図６は、基地局、移動局で保有する移動局識別情報とＣＩＤの変換テーブル（Ｃｈｕｎｋ  Ｔａｂｌｅ）の一例を示す図である。Ｃｈｕｎｋ  Ｔａｂｌｅには、予め移動局の最大送受信能力やサービス種別に応じて、使用可能なＣｈｕｎｋ位置を保持する。図６の場合、ある移動局が、２０ＭＨｚの基地局帯域幅のうち、２.５ＭＨｚ帯域の数ＴＴＩを使用可能とする。
【００８４】
図７は、Ｃｈｕｎｋ  Ｔａｂｌｅの他の例を示す図である。図７の例は、Ｃｈｕｎｋ帯域幅Ｂｃｈと下りリンクの全体の帯域Ｂａｌｌが、ともに２０ＭＨｚの場合のＣｈｕｎｋ  Ｔａｂｌｅを示している。
図８は、Ｃｈｕｎｋ  Ｔａｂｌｅの更に他の例を示す図である。図８の例は、Ｃｈｕｎｋを、複数のサブスロットにわたるＲＢをグループ化したものとして、ＲＢのグループに対してＣＩＤが割り当てられることを示している。ただし、この場合は、移動局はそれぞれのサブスロットのＳＣＳＣＨで呼び出される。
【００８５】
図９は、Ｃｈｕｎｋ  Ｔａｂｌｅの更に他の例を示す図である。Ｃｈｕｎｋの構成を周波数方向に連続したＲＢをグルーピングするのではなく、周波数方向に分散した位置のＲＢをグルーピングした場合のＣｈｕｎｋを示している。このＲＢのグルーピングの構成は、あらかじめ基地局と移動局ともに知っているものとする。また、ＳＣＳＣＨ内のＣＩＤの配置位置とＲＢの位置はあらかじめ対応付けられている。
図１０は、Ｃｈｕｎｋ  Ｔａｂｌｅの更に他の例を示す図である。図１０の例は、Ｃｈｕｎｋを、複数のサブスロットにわたるＲＢをグループ化したものとし、あるパターンのＲＢグループに対してＣＩＤが割り当てられることを示している。移動局１は、Ｃｈｕｎｋ１とＣｈｕｎｋ２の使用可能なＣｈｕｎｋを保有し、それぞれＣＩＤとして１０００番、０１１１番が割り当てられている。ただし、この場合は、移動局１はそれぞれのサブスロットのＳＣＳＣＨで呼び出される。
【００８６】
図１１は、図１０とは別の移動局（移動局２）のＣｈｕｎｋ  Ｔａｂｌｅの例を示す図である。Ｃｈｕｎｋ１は、移動局２に対しても割り当てられている。移動局２は、Ｃｈｕｎｋ１とＣｈｕｎｋ３のＣＩＤとしてそれぞれ１０１１番、１０１１番が割り当てられている。
【００８７】
移動局が、使用可能なＣｈｕｎｋのＣＩＤをすでに持っている場合には、テーブルにＣＩＤの値が保持される。持っていない場合はＮｕｌｌである。移動局のＣＩＤ取得は、通信開始時に予めＣＩＤの情報を基地局から移動局に伝えるか、図１２のようなＣＩＤの取得処理によって取得する。
【００８８】
図１２に示すように、移動局は、予めＣｈｕｎｋ Ｔａｂｌｅ（ＴＢ）を保有しておく（Ｓ１）。そして無線フレームの先頭から、順次、予め定められた使用可能な各ＣｈｕｎｋのＳＣＳＣＨを受信する（Ｓ２）。移動局は、ＳＣＳＣＨに自局の移動局識別情報が指定されていた場合に、対応するＲＢのＳＤＣＨを受信し、ＣＩＤ（Ｃｈｕｎｋ ＩＤ）を取得する（Ｓ３）。この時、同時にユーザデータがＳＤＣＨに含まれていてもよい。移動局は、取得したＣＩＤをＣｈｕｎｋ  Ｔａｂｌｅに登録する（Ｓ４）。また、基地局側でも、それぞれの移動局に対するＣｈｕｎｋ  Ｔａｂｌｅを持っていて、各移動局にすでにＣＩＤを割り振ったかどうかを管理する。
【００８９】
図１３は、本発明に適用されるＳＣＳＣＨの下りリンク制御情報系列の一例を説明するための図である。ＳＣＳＣＨには、３つのＲＢに対する制御情報が入っている。１つのＲＢに対する情報は、ＣＩＤ／ＰＩ（４ビット）、ＡＭＣフラグ（１ビット）、ＩＤフラグ（１ビット）、ＭＩＭＯフラグ（２ビット）である。
ＡＭＣフラグ、ＩＤフラグ、ＭＩＭＯフラグは、Ａｄｄｉｔｉｏｎａｌ−ＣＳＣＨの構成を示すＡｄｄｉｔｉｏｎａｌ  Ｃｏｎｔｒｏｌ  Ｆｌａｇである。
【００９０】
またＣＩＤ／ＰＩは、前述したＣＩＤとして使用する場合と、ＣＩＤがまだ割り振られていない移動局に対して、Ｐａｇｉｎｇ  Ｉｎｄｉｃａｔｏｒとして移動局識別情報（ＲＮＴＩ，ＩＭＳＩなど）の一部（下位４ビットなど）配置する場合がある。アイドルモードや、間欠受信モードにおいて、移動局識別情報を使って、一斉呼び出しを行なう場合には、このＰａｇｉｎｇ  Ｉｎｄｉｃａｔｏｒを通常のＳＣＳＣＨとは異なるスクランブリングコードで符号化する場合もある。通常スクランブリングコードはセル固有のコードを割り当てるが、Ｐａｇｉｎｇ  Ｉｎｄｉｃａｔｏｒなど一斉に報知するような情報の場合、基地局は、複数のセルで同じ情報を送信するため、Ｐａｇｉｎｇ  Ｉｎｄｉｃａｔｏｒ用の共通なスクランブルコードが乗算されることが考えられる。
【００９１】
前記２つの場合を識別するためにＩＤフラグを使用する。ＩＤフラグが１の場合、Ａｄｄｉｔｉｏｎａｌ−ＣＳＣＨ領域にＲＮＴＩが配置されていることを示す。このＡｄｄｉｔｉｏｎａｌ−ＣＳＣＨに配置するＲＮＴＩは、すでに一部４ビットがＰＩとして示されているので、残りの１２ビットのみで十分である。
【００９２】
ＡＭＣフラグは、変調方式・符号化率の変更がある場合にのみ使用する。ＡＭＣフラグが１の場合、変更後の変調方式・符号化率（５ビット）がＡｄｄｉｔｉｏｎａｌ−ＣＳＣＨで示される。変調方式・符号化率の候補で現在検討されているのは、ＱＰＳＫ１／８、ＱＰＳＫ１／４、ＱＰＳＫ１／２、ＱＰＳＫ２／３、１６ＱＡＭ１／２、１６ＱＡＭ２／３、６４ＱＡＭ１／２、６４ＱＡＭ３／５、６４ＱＡＭ２／３、６４ＱＡＭ３／４である。
【００９３】
ＭＩＭＯフラグは、ＲＢが非ＭＩＭＯ、２アンテナＭＩＭＯ、４アンテナＭＩＭＯのどの方式で送信されているかを示すフラグである。さらにＭＩＭＯの制御に必要な情報がＡｄｄｉｔｉｏｎａｌ−ＣＳＣＨで送信される。
またＨＡＲＱの基地局からのフィードバック情報は、Ａｄｄｉｔｉｏｎａｌ−ＣＳＣＨまたはＳＤＣＨに含まれる。
【００９４】
図１４は、本発明に適用されるＳＣＳＣＨの上りリンク制御情報系列の一例を説明するための図である。この上りリンク制御情報は、ＳＣＳＣＨが送信される数ＴＴＩ後の上りリンクのスケジューリングに関する制御情報が含まれている。上りリンクのユーザデータは、１.１２５ＭＨｚ単で送信されるため、ＳＣＳＣＨに含まれる制御情報は、１ＲＢ分である。上りのＲＢに対する情報は、ＣＩＤ／ＰＩ（４ビット）、ＡＭＣフラグ（１ビット）、ＩＤフラグ（１ビット）、ＨＲＱフラグ（１ビット）、Ｔｉｍｅ／ＰｏｗｅｒＣ（Ｔｉｍｅ／ＰＣ）フラグ、である。
ＡＭＣフラグ、ＩＤフラグは、Ａｄｄｉｔｉｏｎａｌ−ＣＳＣＨの構成を示すＡｄｄｉｔｉｏｎａｌ  Ｃｏｎｔｒｏｌ  Ｆｌａｇである。
【００９５】
ＣＩＤ／ＰＩは、前述したＣＩＤとして使用する場合と、ＣＩＤがまだ割り振られていない移動局に対して、Ｐａｇｉｎｇ  Ｉｎｄｉｃａｔｏｒとして移動局識別情報（ＲＮＴＩ，ＩＭＳＩなど）の一部（下位４ビットなど）配置する場合がある。
前記２つの場合を識別するためにＩＤフラグを使用する。ＩＤフラグが１の場合、Ａｄｄｉｔｉｏｎａｌ−ＣＳＣＨ領域にＲＮＴＩが配置されていることを示す。このＡｄｄｉｔｉｏｎａｌ−ＣＳＣＨに配置するＲＮＴＩは、すでに一部４ビットがＰＩとして示されているので、残りの１２ビットのみで十分である。このように、ＩＤフラグを利用することにより、ＣＩＤ／ＰＩに配置されるＩＤが階層構造になり、効率的に移動局識別情報の変換が行える。
【００９６】
ＨＡＲＱフラグは、上りユーザデータに対する基地局からのフィードバック情報である。またＴｉｍｅ／ＰｏｗｅｒＣフラグは、上り信号送信における同期の調整、電力の調整用のフラグである。
【００９７】
ＡＭＣフラグは、変調方式・符号化率・ＭＩＭＯ方式の変更がある場合にのみ使用する。ＡＭＣフラグが１の場合、変更後の変調方式・符号化率（５ビット）がＡｄｄｉｔｉｏｎａｌ−ＣＳＣＨで示される。変調方式・符号化率の候補で現在検討されているのは、ＱＰＳＫ、８ＰＳＫ、１６ＱＡＭである。上りリンクＭＩＭＯの制御に必要な情報は、Ａｄｄｉｔｉｏｎａｌ−ＣＳＣＨで示される。
【００９８】
図１５は、Ａｄｄｉｔｉｏｎａｌ−ＣＳＣＨ領域に配置されるＩＤの詳細の一例を示す図である。移動通信システムで使用されるＩＤは、前述したようにＲＮＴＩやグローバルＩＤであるＩＭＳＩなどさまざまなビット数、トラッキングエリアのＩＤが存在する。それらを識別するためにＩＤ Ｔｙｐｅを示すフラグを用意する。ここでは例えばＴｙｐｅ０は、ＲＮＴＩを示し、Ｔｙｐｅ１は、ＩＭＳＩを示し、Ｔｙｐｅ２は、ＴＭＳＩを示す。そしてその後ろに、実際のＩＤ情報を配置する。これにより、可変長のＩＤ配置領域を実現することが可能となる。
【００９９】
図１６は、１つのＣｈｕｎｋで３ユーザがＲＢをシェアする場合のＣｈｕｎｋ構成例を示す図である。ＣｈｕｎｋのＳＣＳＣＨは、ＤＰＣＨと１つのＯＦＤＭシンボルを共用して使用しており、ユーザ１のみＡｄｄｔｉｏｎａｌ  Ｃｏｎｔｒｏｌ  Ｆｌａｇが指定されている。ユーザ２、ユーザ３は、Ａｄｄｉｔｉｏｎａｌ−ＣＳＣＨの領域をＳＤＣＨとして使用している。
【０１００】
図１７は、移動局がＣＩＤを取得していないＣｈｕｎｋでＣＩＤを取得する際の処理手順の一例を説明するための図である。この処理は、上りリンク、下りリンクともに同様の処理となる。
移動局は、ＣｈｕｎｋのＳＣＳＣＨのＣＩＤ／ＰＩとＩＤフラグを受信し（Ｓ１１）、自局の移動局識別情報の一部がＣＩＤ／ＰＩに示され、さらに、ＩＤフラグが１であるかどうかを判別する（Ｓ１２）。上記の判別で自局用のデータが含まれないと判断した場合には、Ｃｈｕｎｋ  Ｔａｂｌｅの他のＣｈｕｎｋのＳＣＳＣＨの受信処理へ移行する。このＣｈｕｎｋでの処理としては、次のフレームのＳＣＳＣＨの受信処理へ移行することとなる。
【０１０１】
また上記の判別で、自局用のデータが含まれると判断した場合には（Ｓ１２）、Ａｄｄｉｔｉｏｎａｌ−ＣＳＣＨ領域の移動局識別情報を受信する（Ｓ１３）。移動局識別情報が自局のものと一致しなかった場合（Ｓ１４）、次のフレームのＳＣＳＣＨの受信処理へ移行する。移動局識別情報が自局のものと一致した場合（Ｓ１４）、ＳＤＣＨを受信してＣＩＤを取得する（Ｓ１５）。このＣＩＤは、基地局からＡｄｄｉｔｉｏｎａｌ−ＣＳＣＨ領域に送信され、移動局は、Ａｄｄｉｔｉｏｎａｌ−ＣＳＣＨを受信してＣＩＤを受信するように構成されてもよい。
【０１０２】
また、ＣＩＤの取得は、Ｃｈｕｎｋごとに一つずつ取得するのではなく、ＳＤＣＨに、別ＣｈｕｎｋのＣＩＤを含むＣｈｕｎｋ  Ｔａｂｌｅの情報を含めて基地局から送信されるように構成されてもよい。または、Ｃｈｕｎｋ  Ｔａｂｌｅのパターンを予め仕様化しておいて、基地局と移動局間でＣｈｕｎｋ  Ｔａｂｌｅの情報を交換することなく、予め定められたパターンのＣｈｕｎｋ  Ｔａｂｌｅを基地局と移動局双方が保持できるように構成されてもよい。これにより、ＣＩＤ取得処理が効率的に行なえる。
【０１０３】
また、Ｃｈｕｎｋ  ＴａｂｌｅのＣＩＤ情報に、有効時間を設け、ある程度の時間使用されないＣｈｕｎｋでは、ＣＩＤが自動的に消去されるようにする。基地局側、移動局側双方で有効時間を計算し、有効時間を越えてもＳＤＣＨの送受信が行なわれない場合、それぞれのＣｈｕｎｋ  ＴａｂｌｅのＣＩＤをＮｕｌｌにする。
【０１０４】
図１８は、移動局がすでにＣＩＤを取得済みであるＣｈｕｎｋでユーザデータを受信する際の処理手順の一例を説明するための図である。ＲＢに割り振られたＣＩＤをモニタリングし（Ｓ２１）、自局のＣＩＤが指定されて、さらにＩＤフラグが０の場合に（Ｓ２２）、ＡＣＦ（Ａｄｄｔｉｏｎａｌ  Ｃｏｎｔｒｏｌ  Ｆｌａｇ）を受信する。ＡＣフラグが１であれば（Ｓ２３）、Ａｄｄｉｔｉｏｎａｌ−ＣＳＣＨを受信して（Ｓ２５）、付加的な制御情報を受信後、ＳＤＣＨを受信する（Ｓ２４）。ＡＣフラグが０であれば（Ｓ２３）、ＳＤＣＨを受信する（Ｓ２４）。
【０１０５】
図１９は、サブスロットでスケジューリングを行う基地局の処理手順の一例を説明するための図である。このサブスロットでスケジューリングされる可能性のある移動局を、各異動局のＣｈｕｎｋ  Ｔａｂｌｅと各移動局へ送信されるデータのバッファ量などから決定し、サブスロット内でスケジューリングされる可能性のある全移動局のＣｈｕｎｋ  ＴａｂｌｅとＣｈｕｎｋ  ＩＤを参照する（Ｓ３１）。
【０１０６】
そしてそれぞれの移動局の無線環境などを考慮しながら各ＲＢに割り当てる移動局をスケジューリングし、各移動局のＣｈｕｎｋ  ＩＤをＳＣＳＣＨへ配置する（Ｓ３２）。Ｃｈｕｎｋ  ＩＤがＮｕｌｌの移動局にリソースを割り当てる場合は、Ａｄｄｉｔｉｏｎａｌ  Ｃｏｎｔｒｏｌ  Ｆｌａｇを設定し、定められた領域（Ａｄｄｉｔｉｏｎａｌ−ＣＳＣＨ領域やＳＤＣＨ領域）にＲＮＴＩと新しいＣｈｕｎｋ  ＩＤまたは新しいＣｈｕｎｋ  Ｔａｂｌｅ情報を挿入する（Ｓ３３）。
【０１０７】
図２０は、基地局でのＣｈｕｎｋ  ＩＤ割り振り処理手順の一例を説明するための図である。基地局は、パケットの着信や移動局からの通信サービス起動要求に応じて、移動局１の通信開始を検出すると（Ｓ４１）、移動局の通信サービス種別、移動局の能力情報を取得する（Ｓ４２）。
さらに、すでに割り当て済みの他の移動局のＣｈｕｎｋ  ＩＤとＣｈｕｎｋ  Ｔａｂｌｅを参照し、移動局１に割り当て可能なスケジューリング領域とＣｈｕｎｋ  ＩＤを決定する（Ｓ４３）。割り当て可能なスケジューリング領域であるが、他の移動局にＣｈｕｎｋ  ＩＤが割り当てられていて、移動局１に割り当てることができない場合などには、Ｎｕｌｌを設定する。そして移動局１へＣｈｕｎｋ  Ｔａｂｌｅを通知するとともに、基地局で保持しているＣｈｕｎｋ  Ｔａｂｌｅリストに移動局１のＣｈｕｎｋ  Ｔａｂｌｅを追加する（Ｓ４４）。
【０１０８】
図２１は、３ＧＰＰの提案をベースに想定されている基地局の動作原理を説明するための図である。
基地局１００では、まず、基地局１００が上位ネットワークノード（例えば、Ｗ−ＣＤＭＡ方式のＳＧＳＮ（Ｓｅｒｖｉｎｇ  ＧＰＲＳ  Ｓｕｐｐｏｒｔ  Ｎｏｄｅ）やＲＮＣ（Ｒａｄｉｏ  Ｎｅｔｗｏｒｋ  Ｃｏｎｔｒｏｌ）、図示せず）から移動局２００宛てのパケットデータ（移動局識別情報、例えばＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＩＭＥＩ（Ｉｎｔｅｒｎａｔｉｏｎａｌ  Ｍｏｂｉｌｅ  Ｅｑｕｉｐｍｅｎｔ  Ｉｄｅｎｉｔｙ）、ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）、ＴＭＥＩ（Ｔｅｍｐｏｒａｒｙ  Ｍｏｂｉｌｅ  Ｅｑｕｉｐｍｅｎｔ  Ｉｄｅｎｉｔｙ）、ＲＮＴＩ（Ｒａｄｉｏ  Ｎｅｔｗｏｒｋ  Ｔｅｍｐｏｒａｒｙ  Ｉｄｅｎｔｉｔｙ）やＩＰアドレスなど含む）を受信した場合、そのパケットデータを基地局送信データバッファ（図示せず）に保存する。
【０１０９】
送信データバッファからの下りリンク送信データはチャネルコーディング部１０７に入力され、チャネルコーディング部１０７はスケジューリング部１１０の出力信号である下りリンクＡＭＣモードと下りリンク移動局割り当て情報（下りリンクスケジューリング情報）など下りリンクＡＭＣ情報が入力され、下りリンクＡＭＣ情報により定義されたＡＭＣモード（例えば、ターボ符号、符号化率２／３）を用いて、下りリンク送信データの符号化処理を行い、その出力が制御データ挿入部１０８に入力される。このとき、各移動局２００のスケジューリングは、Ｃｈｕｎｋ  Ｔａｂｌｅを参照して行なわれ、スケジューリング後、Ｃｈｕｎｋ  Ｔａｂｌｅが更新される。
【０１１０】
下りリンク制御データは、前記の下りリンクパイロットチャネルＤＰＣＨ、下りリンク共通制御チャネルＣＣＣＨ及び下りリンク同期チャネルＳＮＣＨの制御データが含まれている。下りリンク制御データが制御データ挿入部１０８に入力され、下りリンク共通制御チャネルＣＣＣＨの制御データマッピングが行われる。
【０１１１】
一方、スケジューリング部１１０により決定した下りリンクＡＭＣ情報（ＡＭＣモード、下りリンクスケジューリング情報など）が制御データ挿入部１０８に入力され、下りリンク共用制御シグナリングチャネルＳＣＳＣＨの制御データマッピングが行われる。
【０１１２】
下りリンク共通制御チャネルＣＣＣＨ、下りリンク共用制御シグナリングチャネルＳＣＳＣＨ及び下り共用データチャネルＳＤＣＨがマッピングされた制御データ挿入部１０８の出力は、ＯＦＤＭ変調部１０９に送られる。ＯＦＤＭ変調部１０９では、データ変調、入力信号の直列／並列変換、拡散符号及びスクランブリングコードを乗算し、ＩＦＦＴ（Ｉｎｖｅｒｓｅ  Ｄｉｓｃｒｅｔｅ  Ｆｏｕｒｉｅｒ  Ｔｒａｎｓｆｏｒｍ）変換、ＣＰ（Ｃｙｃｌｉｃ  Ｐｒｅｆｉｘ）挿入、フィルタリングなどＯＦＤＭ信号処理を行い、ＯＦＤＭ信号を生成する。またＯＦＤＭ変調部１０９は、スケジューリング部からの下りリンクＡＭＣ情報が入力され、各サブキャリアのデータ変調（例えば、１６ＱＡＭ）を制御する。そして図１に示した無線フレームを生成し、無線部の送信回路によりＲＦ（Ｒａｄｉｏ  Ｆｒｅｑｕｅｎｃｙ）周波数帯域に変換され、アンテナ部１０１から下りリンク信号が送信される。
【０１１３】
一方、移動局２００から送られてきた上りリンク信号がアンテナ部１０１により受信され、無線部１０２の受信回路によりＲＦ周波数からＩＦ、または直接ベースバンド帯域に変換され、復調部１０３に入力する。上りリンク信号は、ＯＦＤＭ信号、ＭＣ−ＣＤＭＡ（Ｍｕｌｉｔ−Ｃａｒｒｅｒ−ＣＤＭＡ）信号、またはＰＡＰＲを低減するためのシングルキャリアＳＣ信号、ＶＳＣＲＦ−ＣＤＭＡ（Ｖａｒｉａｂｌｅ  Ｓｐｒｅａｄｉｎｇ  ａｎｄ  Ｃｈｉｐ  Ｒｅｐｅｔｉｔｉｏｎ  Ｆａｃｔｏｒｓ−ＣＤＭＡ）信号を使用してもよい（例えば、特許文献２参照）。
【０１１４】
上りリンクチャネル推定部１０４では、上りリンクパイロットチャネルＵＰＣＨを利用して、各移動局２００の個別の上りリンクチャネルの伝搬路品質を推定し、上りリンク伝搬路品質情報ＣＱＩを算出する。算出された上りリンクＣＱＩ情報は、スケジューリング部１１０に入力される。このとき、各移動局２００のスケジューリングは、Ｃｈｕｎｋ  Ｔａｂｌｅを参照して行なわれ、スケジューリング後、Ｃｈｕｎｋ  Ｔａｂｌｅが更新される。そして上りリンクＡＭＣモードと上りリンクスケジューリング情報など上りリンクＡＭＣ情報が制御データ挿入部１０８に入力され、下りリンク共用制御シグナリングチャネルＳＣＳＣＨにマッピングされて、該当移動局２００に送信される。
【０１１５】
該当移動局２００は、スケジューリング部１１０の出力である上りリンクＡＭＣ情報に従って、決められた上りリンクＡＭＣモードと上りリンクスケジューリング情報によりパケットデータを送信する。そしてそのパケットデータの上りリンク信号が復調部１０３及びチャネルデコーディング部１０６に入力される。一方、スケジューリング部１１０の出力である上りリンクＡＭＣ情報は復調部１０３とチャネルデコーディング部１０６に入力され、この情報に従って上りリンク信号の復調（例えば、ＱＰＳＫ）、復号処理（例えば、畳込み符号、符号化率２／３）が行われる。
【０１１６】
制御データ抽出部１０５は、上りリンクコンテンションベースチャネルＵＣＢＣＨ及び上りリンク共用制御シグナリングチャネルＵＳＣＳＣＨの制御情報を抽出する。また制御データ抽出部１０５は、上りリンク共用制御シグナリングチャネルＵＳＣＳＣＨを通じて送られてきた移動局２００の下りチャネル伝搬路品質情報ＣＱＩを抽出し、スケジューリング部１１０に入力し、下りリンクＡＭＣ情報を生成する。
【０１１７】
スケジューリング部１１０には、上りリンクチャネル推定部１０４から上りリンクＣＱＩ情報が入力され、移動局２００からフィードバックされた下りリンクＣＱＩ情報が制御データ抽出部１０５から入力され、さらに基地局制御部（図示せず）から各移動局の下り／上りリンク送信データバッファ情報、上り／下りリンクＱｏＳ（Ｑｕｌｉｔｙ  ｏｆ  Ｓｅｒｖｉｃｅ）情報、各種サービスクラス情報、移動局クラス情報、移動局識別情報などが入力される。
【０１１８】
そしてスケジューリング部１１０は、入力されたこれらの情報とＣｈｕｎｋ  Ｔａｂｌｅを総合し、指定または算出された中心周波数において、選択されたスケジューリングアルゴリズムに従って上り／下りリンクＡＭＣ情報を生成し、図１３に示した各部に出力し、パケットデータの送信スケジューリングを実現する。
【０１１９】
図２２は、３ＧＰＰの提案をベースに想定されている移動局の動作原理を説明するための図である。
移動局２００では、まずアンテナ部２０１により下りリンクＯＦＤＭ信号を受信し、無線部のローカルＲＦ周波数発振回路（シンセサイザー）、ダウンコンバーター、フィルター、増幅器などにより、下りリンク受信信号をＲＦ周波数からＩＦ、または直接ベースバンド帯域に変換し、ＯＦＤＭ復調部２０３に入力する。下りリンクチャネル推定部２０４では、下りリンクパイロットチャネルＤＰＣＨを利用して（下りリンク共通パイロットチャネルＤＣＰＣＨ、下りリンク個別パイロットチャネルＤＤＰＣＨ、または両者の組合せを利用して）、各移動局２００の個別の下りリンクチャネルの伝搬路品質を推定し、下りリンク伝搬路品質情報ＣＱＩを算出する。算出された下リンクＣＱＩ情報は制御データ挿入部２０８に入力され、上りリンク共用制御シグナリングチャネルＵＳＣＳＣＨにマッピングされて、基地局１００に送信される。
【０１２０】
ＯＦＤＭ復調部２０３では、入力信号のＣＰ（Ｃｙｃｌｉｃ  Ｐｒｅｆｉｘ）除去、ＦＦＴ（Ｄｉｓｃｒｅｔｅ  Ｆｏｕｒｉｅｒ  Ｔｒａｎｓｆｏｒｍ）変換、拡散符号及びスクランブリングコードを乗算し、並列／直列変換、データ復調、フィルタリングなどＯＦＤＭ信号復調処理を行い、復調データを生成し、制御データ抽出部２０５に入力する。
【０１２１】
制御データ抽出部２０５では、下りリンク共用データチャネルＳＤＣＨ以外の下りリンクチャネル制御情報（下りアクセス情報、報知情報など）を抽出する。下りリンク共用制御シグナリングチャネルＳＣＳＣＨにマッピングされている下りリンクＡＭＣモードと下りリンクスケジューリング情報など下りリンクＡＭＣ情報を抽出し、ＯＦＤＭ復調部２０３及びチャネルデコーディング部２０６に出力する。また下りリンク共用制御シグナリングチャネルＳＣＳＣＨにマッピングされている上りリンクＡＭＣモードと上りリンクスケジューリング情報など上りリンクＡＭＣ情報を抽出し、変調部２０９及びチャネルコーディング部２０７に出力する。このＳＣＳＣＨで自局宛の情報が含まれているか否かは、ＳＣＳＣＨのＣＩＤ／ＰＩとＣｈｕｎｋ  Ｔａｂｌｅを利用して判断される。
【０１２２】
ＯＦＤＭ復調部２０３では、下りリンクＡＭＣ情報により定義されたＡＭＣモード（例えば、１６ＱＡＭ）を用いて、サブキャリアの復調を行う。チャネルデコーディング部２０６では、下りリンクＡＭＣ情報により定義されたＡＭＣモード（例えば、ターボー符号、符号化率２／３）を用いて、下りリンク共用データチャネルＳＤＣＨにマッピングされている自局宛てのパケットデータの復号を行う。
【０１２３】
チャネルコーディング部２０７は、移動局２００の個別のパケットデータである上りリンク送信データが入力され、制御データ抽出部２０５から出力されている下りリンクＡＭＣ情報（例えば、畳込み符号、符号化率２／３）を用いて符号化を行い、制御データ挿入部２０８に出力する。
【０１２４】
制御データ挿入部２０８は、下りリンクチャネル推定部２０４からの下りリンクＣＱＩ情報を上りスケジューリングチャネルＵＳＣＨに含まれる上りリンク共用制御シグナリングチャネルＵＳＣＳＣＨにマッピングさせ、上りリンクコンテンションベースチャネルＵＣＢＣＨと上りスケジューリングチャネルＵＳＣＨを上りリンク送信信号にマッピングする。
【０１２５】
変調部２０９は、制御データ抽出部２０５から出力されている下りリンクＡＭＣ情報（例えば、ＱＰＳＫ）を用いてデータ変調を行い、無線部２０２の送信回路に出力する。上りリンク信号の変調は、ＯＦＤＭ信号、ＭＣ−ＣＤＭＡ信号、またはＰＡＰＲを低減するためにシングルキャリアＳＣ信号、ＶＳＣＲＦ−ＣＤＭＡ信号を使用してもよい。
【０１２６】
制御部２１０は、移動局クラス情報、固有周波数帯域幅情報、移動局識別情報を保有している。そして制御部２１０は、指定または算出された中心周波数にシフトする制御信号を無線部２０２に送り、無線部２０２のローカルＲＦ周波数発信回路（シンセサイザー）により中心周波数シフトを行う。
【０１２７】
無線部２０２のローカルＲＦ周波数発振回路（シンセサイザー）、アップコンバーター、フィルター、及び増幅器などにより、ベースバンド信号がＲＦ周波数帯域に変換され、アンテナ部２０１から上りリンク信号が送信される。無線部２０２には、異なる周波数帯域幅（例えば、１.２５ＭＨｚ，２.５ＭＨｚ，５ＭＨｚ，１０ＭＨｚ，２０ＭＨｚ）に対応したＩＦ、ＲＦフィルターが含まれている。
【０１２８】
ここまでの説明では、ＳＣＳＣＨ内にリソース割り当てのスケジューリング情報を含まず、Ｃｈｕｎｋ  ＩＤの配置位置によってＲＢの割り当てを行うことを前提に説明したが、以下では、ＳＣＳＣＨ内にスケジューリング情報がさらに含まれる場合について説明する。ＳＣＳＣＨ内にスケジューリング情報を追加することにより、移動局識別情報の配置とＲＢの割り当てを切り離して考えることが可能となる。
【０１２９】
図２３は、５ＭＨｚ帯域におけるＲＢとＳＣＳＣＨの物理マッピングを示している。図２３（Ａ）は、前述した図３（Ａ）のように、ＳＣＳＣＨは、５ＭＨｚ帯域にＲＢとは別の構成で配置されている。一方、図２３（Ｂ）は、図３（Ｂ）のように、ＳＣＳＣＨは、ＲＢと同じ帯域幅で分割されている。ただし、ＳＣＳＣＨが、同じ周波数帯域位置のＲＢの制御情報である必要はない。ＳＣＳＣＨ内のスケジューリング情報を参照することにより、ＳＣＳＣＨとは異なる周波数帯域位置のＲＢの制御情報として扱うことも可能である。
【０１３０】
図２６に、ＳＣＳＣＨ内の移動局識別情報フィールド（ＩＤ−Ｆｉｅｌｄ）のグルーピングの例を示す。図２２（Ａ）の場合、図２２（Ｂ）の場合ともに、移動局識別情報の論理的もしくは物理的な配置位置をグループ化し、それぞれＳＣＳＣＨ内の移動局識別情報グループ（ＣＳ  Ｇｒｏｕｐ）を定義する。この例では、ＩＤ−Ｆｉｅｌｄの１、２、３、６、８、１１をＣＳ  Ｇｒｏｕｐ１、ＩＤ−Ｆｉｅｌｄの４，５，７，９，１０，１２をＣＳ  Ｇｒｏｕｐ２としている。
【０１３１】
このＩＤ−Ｆｉｅｌｄのグループ内でユニークな移動局識別情報ＣＳＩＤ（Ｃｏｎｔｒｏｌ  Ｓｉｇｎａｌｉｎｇ  ＵＥ  ＩＤ）を導入する。これは、移動局識別情報の配置とＲＢの割り当てを切り離して考えているため、ＩＤ−Ｆｉｅｌｄのグループ内で移動局を識別することを意味するが、考え方は、Ｃｈｕｎｋ  ＩＤと同様である。
【０１３２】
具体的には、ＣＳ−Ｇｒｏｕｐ１のＩＤ−Ｆｉｅｌｄを使用できるユーザ数を例えば１６に制限し、ＣＳ−Ｇｒｏｕｐ１内で使用する識別情報として４ビットで表現する。これらのＣＳ  Ｇｒｏｕｐ構成とＣＳＩＤは、Ｃｈｕｎｋ  Ｔａｂｌｅと同様、ＣＳ  Ｇｒｏｕｐ  Ｔａｂｌｅとして通信の開始時や、通信中のデータ内に含められて、基地局から移動局に送信される。移動局は、自局が割り当てられたＣＳ  Ｇｒｏｕｐ  Ｔａｂｌｅを参照しながら、ＳＣＳＣＨ内のＩＤ−Ｆｉｅｌｄに自局のＣＳＩＤが存在するかを検知する。つまり、移動局、基地局の処理は、Ｃｈｕｎｋ  ＴａｂｌｅとＣＩＤでの制御方法と同様の処理である。
【０１３３】
図２４は、図２３（Ａ）の構成における、ＳＣＳＣＨ内のＩＤ−Ｆｉｅｌｄとリソース割り当て情報の構成と、実際のリソース割り当て方法の例を示したものである。ＣＳ  Ｇｒｏｕｐ１のＩＤ−Ｆｉｅｌｄには、移動局１と移動局２が割り当てられている。これは、ＣＳ  Ｇｒｏｕｐ１内でのみ固有な識別情報であるＣＳＩＤで指定される。さらに、それぞれのＣＳＩＤに関連付けて、リソース割り当て情報が付与されている。移動局１は、ＲＢ１、移動局２は、ＲＢ２、ＲＢ３、ＲＢ４、ＲＢ８が割り当てられていることが示されている。ＣＳ  Ｇｒｏｕｐは、ＳＣＳＣＨ内の論理的な配置位置によって区別される。Ａｄｄｉｔｉｏｎａｌ−ＣＳＣＦは、必要な場合のみＲＢ内に配置される。
【０１３４】
図２５は、図２３（Ｂ）の構成における、ＳＣＳＣＨ内のＩＤ−Ｆｉｅｌｄとリソース割り当て情報の構成と、実際のリソース割り当て方法の例を示したものである。ＣＳ−Ｇｒｏｕｐ１のＩＤ−Ｆｉｅｌｄには、移動局１と移動局２が割り当てられている。これは、ＣＳ  Ｇｒｏｕｐ１内でのみ固有な識別情報であるＣＳＩＤで指定される。さらに、それぞれのＣＳＩＤに関連付けて、リソース割り当て情報が付与されている。
【０１３５】
移動局１は、ＲＢ１、移動局２は、ＲＢ２、ＲＢ３、ＲＢ４、ＲＢ８が割り当てられていることが示されている。図２４とは異なり、それぞれのＣＳ  Ｇｒｏｕｐ内のＳＣＳＣＨは、物理的に分離された位置に配置されている。図２５に示すように、ＳＣＳＣＨは、ＲＢ１、ＲＢ２、ＲＢ５、ＲＢ７の上部にのみ配置されても良いし、必要に応じて、ＳＣＳＣＨの数を変更できるようにしても良い。ＳＣＳＣＨが５ＭＨｚ内で、４つの場合は、同時に割り当て可能な移動局の数は４に制限されることになる。
【０１３６】
一方、例えば、すべてのＲＢの上部にＳＣＳＣＨを配置した場合には、同時に割り当て可能な移動局の数は１２となる。同時に割り当て可能な移動局の数などのＳＣＳＣＨの構成情報は、ＣＳ  Ｇｒｏｕｐ  Ｔａｂｌｅとともに基地局から移動局に通知される。もしくは、移動局は、すべてのＲＢの上部にＳＣＳＣＨが配置されていることを前提にＳＣＳＣＨをデコードし、正確にデコードされ、かつ、ＣＳＩＤが一致した場合にのみ、ＲＢのデコード処理を行う。このような処理により、基地局から割り当て可能な移動局の数を通知することなく適応的にＳＣＳＣＨの構成を変更することができる。
【０１３７】
つまり、図２５の移動局４は、ＣＳ  Ｇｒｏｕｐ２のＩＤ−Ｆｉｅｌｄ（ＲＢ４，ＲＢ５，ＲＢ７，ＲＢ９，ＲＢ１０，ＲＢ１２の上部）を順番にデコードする。ＲＢ４，ＲＢ５の上部のＩＤ−Ｆｉｅｌｄは正しくデコードされないか、ＣＳＩＤが一致しない。ＲＢ７の上部をデコードした際に、ＣＳＩＤが一致し、リソース割り当て情報を参照することにより、ＲＢ７，ＲＢ９，ＲＢ１１，ＲＢ１２が割り当てられたことを検知する。
【０１３８】
ここまで説明したように、移動局識別情報のユニークな領域を制限することにより、移動局識別情報のビット数を削減する方法は、制御信号ＳＣＳＣＨの物理フォーマット、符号化方法に依存せずに適応することが可能である。
【０１３９】
ＣＩＤやＣＳＩＤは、Ｗ−ＣＤＭＡ方式のＨＳＤＰＡにおけるＨＳ−ＳＣＣＨと同様に、ＳＣＳＣＨのＣＲＣ（Ｃｙｃｌｉｃ  Ｒｅｄｕｎｄａｎｃｙ  Ｃｈｅｃｋ）の一部として、物理マッピングされても良い。
【０１４０】
本発明に関わる基地局装置及び移動局装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行われる。
【０１４１】
プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。
【０１４２】
また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１４３】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明の記録媒体に含まれる。
【図１】
0004739354.tif 000002
【図２】
0004739354.tif 000003
【図３】
0004739354.tif 000004
【図４】
0004739354.tif 000005
【図５】
0004739354.tif 000006
【図６】
0004739354.tif 000007
【図７】
0004739354.tif 000008
【図８】
0004739354.tif 000009
【図９】
0004739354.tif 000010
【図１０】
0004739354.tif 000011
【図１１】
0004739354.tif 000012
【図１２】
0004739354.tif 000013
【図１３】
0004739354.tif 000014
【図１４】
0004739354.tif 000015
【図１５】
0004739354.tif 000016
【図１６】
0004739354.tif 000017
【図１７】
0004739354.tif 000018
【図１８】
0004739354.tif 000019
【図１９】
0004739354.tif 000020
【図２０】
0004739354.tif 000021
【図２１】
0004739354.tif 000022
【図２２】
0004739354.tif 000023
【図２３】
0004739354.tif 000024
【図２４】
0004739354.tif 000025
【図２５】
0004739354.tif 000026
【図２６】
0004739354.tif 000027